(57)【要約】      （修正有）【課題】  画像の先鋭度低下や、画像のエッジから少し離れた位置のエッジの影（ゴースト）を生ぜしめないで、映像・画像信号のビット数不足に起因する擬似輪郭や、MPEG圧縮動画信号のブロックノイズやモスキートノイズ等を低減する。【解決手段】  表示領域外の画像信号を表示領域の信号レベルに応じて決められる一定レベルに設定する表示領域外信号生成回路１と、各タップ毎にタップ信号と着目する入力原信号の差を比較し、この差が閾値よりも大きければ着目画素信号を、小さければタップ信号をフィルタ係数と乗算し、各乗算結果を加算しこれを出力する非線形LPF２と、表示領域外信号生成回路１の出力信号と上記非線形LPF２の出力との差を取る減算器３と、この差をある周波数で遮断・減衰させる特性を持った非線形関数によりコアリング処理するコアリング回路４と、非線形LPF２の出力にコアリング処理回路4の出力を加えたものを出力する加算器５とを備える。【選択図】  図１
2005354521.tif 000002
【特許請求の範囲】
【請求項１】
ビット列で表される入力画像信号に用いられる低域通過フィルタであって、タップ毎にタップ信号と処理対象の入力信号との差を演算し、演算した該差がある閾値よりも大きい場合には処理対象の画素信号を、小さい場合にはタップ信号を、フィルタ係数と乗算し、該乗算の結果を加算して出力する非線形低域通過フィルタと、
前記入力画像信号から前記非線形フィルタの出力を減算する減算器と、
前記減算器の出力をある周波数で遮断・減衰させる特性を有する非線形関数によりコアリング処理するコアリング処理回路と、
前記コアリング処理回路の出力と前記非線形低域通過フィルタの出力とを加算する加算器と、
を有する画像処理装置。
【請求項２】
前記非線形低域通過フィルタにおいて用いられる閾値を外部より設定するための第１の設定部を有していることを特徴とする請求項１に記載の画像処理装置。
【請求項３】
前記コアリング処理回路において用いる遮断周波数或いは減衰特性を外部より変更するための第２の設定部を有していることを特徴とする請求項１又は２に記載の画像処理装置。
【請求項４】
前記コアリング処理回路は、該コアリング処理回路への入力信号と対応する非線形減衰曲線が示す信号との差分を格納する格納部と、前記入力信号と前記差分とを加算してこれをコアリング出力とすることを特徴とするコアリング処理回路。
【請求項５】
前記低域通過フィルタ又は前記コアリング処理回路の少なくとも一方の機能を、有効と無効とに切り換えられるスイッチを有していることを特徴とする請求項１から４までのいずれか１項に記載の画像処理装置。
【請求項６】
入力画像信号の表示領域外の信号レベルを最大値又は最小値に設定し、設定された前記表示領域外の信号を表示領域内の画像信号とあわせて前記非線形低域通過フィルタに出力する表示領域外信号生成回路を有することを特徴とする請求項１から５までのいずれか１項に記載の画像処理装置。
【請求項７】
前記領域外信号生成回路において、設定される前記表示領域外の信号レベルを前記表示領域内の信号レベルに基づいて選択することを特徴とする請求項６に記載の画像処理装置。
【請求項８】
前記表示領域外信号生成回路は、前記表示領域内とのレベルの差が前記閾値を越えるように設定し、設定される前記表示領域外の信号を前記表示領域内の画像信号と合わせて前記前記非線形低域通過フィルタに与えることを特徴とする請求項６又は７に記載の画像処理装置。
【請求項９】
請求項１から８までのいずれか１項に記載の画像処理装置を備えた画像表示装置。
【請求項１０】
ビット列で表される入力画像信号に用いられる非線形低域通過フィルタと、
前記入力画像信号から前記非線形フィルタの出力を減算する減算器と、
前記減算器の出力をある周波数で遮断・減衰させる特性を有する非線形関数によりコアリング処理するコアリング処理回路と、
前記コアリング処理回路の出力と前記非線形低域通過フィルタの出力とを加算する加算器と、
を有する画像処理装置。
【発明の詳細な説明】
【技術分野】
【０００１】
本発明は、画像表示信号に対して信号処理を施すことにより、表示画像の擬似輪郭やノイズなどを低減し、表示画像の高画質化を行うための画像処理技術に関する。
【背景技術】
【０００２】
低品質なビデオソースを再生した場合に、擬似輪郭と呼ばれる等高線状の模様が現れることがある。この擬似輪郭は、滑らかにグラデーションの掛かった原画像に対して必要以上の量子化が行われ本来存在しないはずの階調段差が表示として現れることに起因して発生したものであり、画質を損ねる原因となっている。
【０００３】
この擬似輪郭や画像のノイズを低減する方法として、入力信号を低域濾波器（LPF:  Low Pass Filter）に通す方法がある。このLPFをタップ数2k+1個の１次元FIR（Finite Impulse Response）フィルタで構成すると、入力信号系列をx(n)としたときのLPF出力y(n)は以下に示す式（１）のように書くことができる。
【０００４】
【数１】
2005354521.tif 000003
ここでa(i)は、下記（２）式の関係を満足するような係数である。
【０００５】
【数２】
2005354521.tif 000004
【０００６】
この方法では、原画像の高域信号成分がカットされるため、ノイズや擬似輪郭以外の輪郭の部分も一律に平滑化（線形フィルタ処理）してしまい、画像の鮮鋭度が失われるという問題点がある。
【０００７】
これに対し、入力画像像信号を空間的な低域濾波器に通してぼかし、このぼかされた出力信号と元の画像信号との差分をとり、差分が小さいときはぼかした低域濾波器出力が得られるようにし、逆に大きな時はこれを有用な信号と見なして元の画像信号の値を保持するように、（３）〜（５）式に基づいて、両成分を適応的に出力する方法がある（例えば、特許文献１参照）。
【０００８】
【数３】
2005354521.tif 000005
【０００９】
【数４】
2005354521.tif 000006
【００１０】
【数５】
2005354521.tif 000007
【００１１】
この方法は、非線形関数Fを用いることにより、単純な平滑フィルタ（線形フィルタ）の欠点を回避し有意な輪郭部を保存することを可能としている。また、この非線形関数はフィルタ出力に対して働くため、比較的小さな回路規模で画質の向上を図ることが出来る。以下、この非線形関数を用いる処理をコアリングと呼ぶ。
【００１２】
【特許文献１】特開２０００−２９５４９７号公報
【発明の開示】
【発明が解決しようとする課題】
【００１３】
図２は、上記特許文献１に記載されている技術を用いた場合に、各段階における信号波形例を示す図である。
【００１４】
上記特許文献１に記載の方法を用いて信号の平滑化を行うと、画像のエッジから少し離れた位置に、本来存在しないエッジの影（ゴースト）が薄く表示されてしまう。図２（Ａ）に示すように、入力原信号はエッジ波形と疑似波形とが観測されている。
【００１５】
このゴースト現象はコアリング処理に特有の現象であり、以下の理由により発生する。急峻なエッジが存在する画像（図２（Ａ））を(1)式のLPFにより処理すると、エッジは周辺画素と平滑化される。この平滑化された信号（図２（Ｂ））を用いて（２）式によるコアリング処理を行うと、エッジの近傍では平滑化後の信号レベルと入力信号レベルの差（図２（Ｃ））が大きいためエッジが保存されるが、エッジから少し離れた場所では平滑化された結果と入力信号の差が小さくなるためLPFにより平滑化されたエッジの情報が残ることになり（図２（Ｄ））、エッジの影響がゴーストとして現れる（図２（Ｅ））。
【００１６】
このようなゴースト現象は、（３）式のように非線形関数として閾値による単純なコンパレート処理を適用した場合だけではなく、LUT（Look Up Table）を用いた複雑な入出力関係の処理に関して適用した場合においても原理的な問題として発生することになる。
【００１７】
本発明は、上記問題を解決するためになされたもので、原画像の輪郭を保存したまま擬似輪郭やノイズを低減するコアリング処理方式を行う際に、すべての表示領域でゴーストの発生を抑制することを目的とする。
【課題を解決するための手段】
【００１８】
本発明の一観点によれば、ビット列で表される入力画像信号に用いられる低域通過フィルタであって、タップ毎にタップ信号と処理対象の入力信号との差を演算し、演算した該差がある閾値よりも大きい場合には処理対象の画素信号を、小さい場合にはタップ信号を、フィルタ係数と乗算し、該乗算の結果を加算して出力する非線形低域通過フィルタと、  前記入力画像信号から前記非線形フィルタの出力を減算する減算器と、前記減算器の出力をある周波数で遮断・減衰させる特性を有する非線形関数によりコアリング処理するコアリング処理回路と、前記コアリング処理回路の出力と前記非線形低域通過フィルタの出力とを加算する加算器とを有する画像処理装置が提供される。
【００１９】
非線形フィルタは、着目画素から離れた位置にコンパレート閾値以上のエッジが存在した場合、タップ出力セレクタの働きにより、エッジ近傍の演算に用いる画素信号を着目が素に置き換える。ここで、デジタルフィルタ処理とは、処理着目画素信号および周辺が素信号とフィルタ係数との積和演算に対応するため、この置き換え処理により積和演算の結果からエッジの影響を排除することができる。
【００２０】
また、前記非線形フィルタには、表示領域外の画像信号を入力画像に応じて適当な一定レベルに設定し、これを表示領域内の画像信号とあわせて出力する表示領域外信号生成回路からの信号が入力されるようにする。
【発明の効果】
【００２１】
本発明による信号処理回路によれば、ノイズや擬似輪郭を除去しつつ、エッジの先鋭度を失わずにエッジに関連するゴーストの発生を抑制することができ、すべての表示領域内で高品位な表示が可能となる。
【００２２】
また本発明による画像処理装置では、必要に応じて回路特性を変更し、機能を有効/無効選択することができるため、入力信号ソースの特性や使用者の好みに応じて適切な画像を表示できるという利点がある。
【発明を実施するための最良の形態】
【００２３】
本明細書において、遅延器毎の出力を「タップ」と称する。以下、本発明の実施の形態による画像処理技術について図面を参照しつつ説明を行う。尚、以下の説明においては、説明の簡単化のために、信号は1次元で扱っているが、２次元の場合も同様の処理が適用できる。まず、本発明の原理について図２を参照しつつ簡単に説明する。図２では、着目画素をｘ（ａ）として、そこから離れた位置にコンパレート閾値を越えるエッジが存在し、そのエッジ近傍の画素をｘ（ｂ）とする。このとき、フィルタのタップ長が２ｋ＋１で、ａとｂとの距離がｋより短いとする。一般的な線形フィルタを用いると、着目画素x(a)に対するフィルタ演算に、ｘ（ｂ）を用いるため演算結果にｘ（ｂ）が反映され、その結果、図２（Ｂ）のようにエッジがなまる。これに対して、本発明に係る画像処理装置においては、非線形フィルタを用いている。非線形フィルタを用いると、この場合の演算は全てｘ（ａ）を用いるため、ａの位置の処理結果がｘ（ｂ）の影響を受けず、その結果がそのまま保存される。疑似輪郭等のコンパレータ閾値よりも小さなレベル変化の場合には従来の線形フィルタ同様に出力は平滑化される。したがって、コンパレータ閾値を越えるエッジでは、フィルタ出力になまりが無いため、図２（Ｃ）から図２（Ｅ）までのコアリング処理を行ってもゴーストは発生しない。
【００２４】
図１は、本発明の一実施の形態による画像処理回路の一構成例を示すブロック図である。図１に示すように、画像処理回路は、非線形ＬＰＦ２と、減算器３と、コアリング処理回路４と、加算器５と、を有している。ＬＰＦ２は、入力画像信号と表示領域信号を受けて表示領域外信号を生成する表示領域外信号生成回路１の主力を受けて、減算器３と加算器５とに出力信号を与える。より詳細には、ＬＰＦ２は、FIR型のタップ長2k+1の非線形LPFである。非線形LPF2は、表示領域外信号生成回路１からの出力を受けて信号を段毎に遅延させていく多段構成の遅延器２１と、表示領域外信号生成回路１からの出力信号を含む各段の遅延器２１からの出力をそれぞれ受ける複数のタップ出力セレクタ２２と、それぞれのタップ出力セレクタ２２からの出力をそれぞれ受ける複数の係数乗算器２３と、複数の係数乗算器２３の出力信号を加算する加算器２４と、を備えている。尚、タップ出力セレクタ２２のそれぞれは、減算器２２１と、絶対値回路２２２と、比較器２２３と、セレクタ２２４と、を有している。まず非線形LPF２の動作について説明を行う。
【００２５】
表示領域外信号生成回路１から非線形LPF２に入力された信号は、遅延器２１によりサンプリングクロック毎にタップ出力セレクタ２２に送られる。タップ出力セレクタ２２においては、タップ入力信号と着目信号（タップセンター信号:i=n）との差を減算器２２１により演算し、演算結果を絶対値回路２２２に入力する。タップ入力画素は着目（信号処理）画素に対してサンプリングクロック分だけ離れた位置の信号であるため、タップ入力信号と着目信号（タップセンター信号:i=n）との差が大きいということは、着目画素からサンプリングクロック分離れた位置にエッジ等の大きな変化が存在していることを示している。
【００２６】
絶対値回路２２２から出力された信号レベルの差分情報は、比較器２２３の入力端子Ａに入力される。比較器２２３には外部レジスタが指示するコンパレート閾値がもう一方の入力端子Ｂに接続されており、Ａ入力がＢ入力より大きな場合に出力Ｙとして“０”を、Ａ入力がＢ入力よりも小さな場合には出力Ｙとして“１”を出力する。
【００２７】
セレクタ２２４には、着目信号とタップ入力信号とが入力されており、比較器２２３の出力にしたがって制御され、比較器２２３の出力が“０”の場合には着目信号を、出力が“１”の場合にはタップ入力信号を選択して出力する。従って、タップ出力セレクタ２２は、着目画素からサンプリングクロック分離れた位置にエッジ等のコンパレート閾値以上の変化が存在している場合には着目信号を、そうでない場合には従来通りタップ出力信号を出力することにより、着目画素から離れた位置に存在するエッジの影響を除くことができる。
【００２８】
タップ出力セレクタ２２の出力信号に対して、係数乗算器２３によりフィルタ係数ａ（ｎ−ｋ）〜ａ（ｎ＋ｋ）が乗じられる。フィルタ出力は加算器２４による２ｋ＋１個の乗算データの合計であるため、非線形LPF２は、着目画素からサンプリングクロック分だけ離れた位置では、従来型のフィルタを用いる場合に問題となっていたエッジの影響を低減することができる。また、エッジ部分との差がコンパレートの閾値以下では、通常のLPFとして働き、従来通り画像は平滑化される。このコンパレート閾値を変更することで、エッジの影響（ゴースト）を除去する度合いを変えることが出来る。コンパレート閾値はレジスタ等で値を保持し、表示内容に応じて適宜外部から書き換えられるようになっているのが望ましい。
【００２９】
ところで、画像信号は低周波数成分と高周波数成分とで構成されている。従って、減算器３により原信号からLPFの出力結果を減算すると、高域成分が抽出できHPF（High Pass Filter）として働く。コアリングとは信号の一定以上の高域成分を遮断もしくは減衰させる信号処理である。コアリング処理回路４は、単純な遮断の場合には図３（Ａ）に示すように比較器４２とセレクタ４３とで構成することができる。コアリング処理回路４に入力された高域成分信号は、その絶対値が大きいほど周波数が高い（信号としての０レベルが直流成分に相当する）。従って、絶対値回路４１の出力と遮断する周波数レベルを比較器４２で比較し、絶対値回路４１の出力が遮断レベルを超えなければセレクタ４３は０を出力し、絶対値回路４１の出力が遮断レベルを超えていれば入力された信号をそのまま出力することにより、ノイズや擬似輪郭等の微小な変化成分のみを信号から取り除くことができる。
【００３０】
信号を非線形に減衰させる場合には、例えば、ROM（Read Only Memory）/RAM（Random Access Memory）等で構成されるLUTに図示するような減衰曲線を書き込んでおけばよい（図３（Ｂ））。また、減衰させる信号の周波数はDC成分に比較的近い部分だけであるため、図３（Ａ）において、遮断レベルの代わりに図示するように減衰上限レベルを与え、セレクタがLUT出力を選ぶように構成すれば、LUTの容量を減らすことが出来る（図３（Ｃ））。さらに、コアリング回路への入力信号と対応する減衰曲線が示す出力信号レベルとの差は一般的に小さいので、この差分情報のみをLUTに格納し、LUT入力から差分を減算することによりLUTの容量をさらに小さくすることが可能になる（図３（Ｄ））。
【００３１】
このようにLUTの容量を削減すると、ROMやRAMの容量に関する占有容量を低減することができ、コストダウンが可能であるという利点がある。また、メモリ素子の動作速度の関係等で、このLUTに高速のRAMを用いざるを得ない場合には、外部ROMからダウンロードするデータの容量を減らすことにつながる。したがって、外部ROMの容量削減にも寄与し、またデータ量が減るため初期ロードに要する時間を削減でき、起動時間を短縮することができる利点がある。さらに、１個あたりのLUTの容量を抑えることにより、予め複数のLUTを保持しておき必要に応じて適宜選択することも可能になる。
【００３２】
コアリング処理回路４によって遮断あるいは減衰させる高域成分の周波数や振幅特性は、入力画像や非線形LPF２のコンパレート閾値に応じて切り換え、或いは、書き換えで変更できるようにしておけば、ノイズの平滑化やエッジ、テクスチャーの保存の程度を最適に与えることが出来る。
【００３３】
また、加算器５によって非線形LPF２の出力にコアリング回路４の出力を足し合わせる。非線形LPF２の出力はエッジのゴーストが除去されており、コアリング回路４では不要な高域成分（ノイズ、疑似輪郭等）を減衰させ、遮断・減衰周波数以上の必要なエッジ情報が残されているので、これらの信号を足し合わせれば、入力画像信号からノイズや擬似輪郭を除去しながら、エッジの先鋭度を失わず、さらにエッジのゴーストを発生させないような出力画像信号を得ることができる。
【００３４】
以上の演算処理の説明においては、入力画像が無限に連続していることを仮定しているが、実際の入力画像信号には表示領域外にはデータ信号が存在せず不連続になっていることが多い。一般的に、画像信号に対してフィルタ演算を行う場合、処理画素が画像の端部から１／２タップ長よりも外側に位置すると、一部のタップ入力信号が表示領域外となり、この部分に正しい画像データが存在しない場合には対応するタップ入力が不正になり正しい演算結果を得ることが出来なくなるという問題がある。この点を改善する方法として、本来存在しない表示領域外に仮の信号を生成して元の信号に付加し、全体を処理する方法がある。具体的な仮の信号として、表示画像領域端部を境界にして領域外に表示領域の線対称な鏡像データが存在する信号とするミラー処理、黒（レベル０）や白（レベル１）の固定データでマスクされている信号とする方法がある。
【００３５】
このうち、ミラー処理は、表示画像領域端部を境界にして領域外に表示領域の線対称な鏡像データが存在するとしてこれを仮データとし、元の信号に付加する方法である。この方法を用いると、処理画素が表示領域の端部であっても正常な処理を行うことができ、得られる結果にゴースト等の悪影響は無く、高い画質が得られる利点がある。しかしながら、領域外のタップ入力に対して鏡像データをサンプリングクロックごと入れ替える必要があるため、表示領域外信号生成回路の規模が増大してしまう問題がある。
【００３６】
これに対して、表示領域外を０や１の固定データにより一律にマスクする方法は回路的に非常に簡単であり、表示領域外信号生成回路１としても特段の工夫を必要としない。しかしながら、表示領域の内外で画像が不連続になるため、得られる結果には画面端付近で妨害が発生するという問題がある。
【００３７】
ところで、本発明の非線形LPF２においては、表示領域の境界の内外で画像が不連続になってもその差がコンパレート閾値よりも大きければ、表示領域内にゴーストは発生しない（図４（Ａ）、（Ｂ）参照、図４（Ａ）は表示領域内外の差がコンパレータ閾値より小さい場合、図４（Ｂ）はは表示領域内外の差がコンパレータ閾値より大きい場合を示す。）。そこで、表示領域外信号生成回路１において、表示領域外のデータ信号を生成する際に、設定方法に従って０あるいは１に適応的に設定する方法がある。
【００３８】
図５は、このような表示領域外信号生成回路１の構成例を示す図である。図５に示すように、入力画像の表示領域を示すＤＥ（Data Enable）信号により表示領域端部を検出し、表示領域端−閾値比較器１１において端部での入力画像信号のレベルが０（最小）に近ければ表示領域外信号として１(最大)を、逆に入力画像信号のレベルが１(最大)に近ければ表示領域外信号として０（最小）を設定するように、セレクタ１２を制御する。この判定には、例えば画像信号が８bitで与えられていれば、その最上位bitを利用することができる。非線形LPF２に与えるコンパレート閾値は、入力信号が取りうるレベル範囲に対して１／２を超えるようなことはないので、このような簡易な判定で十分であり、画質劣化もなく回路構成も簡単で良好に動作する。
【００３９】
上述の表示領域外信号生成回路１を通った入力画像信号は、表示領域内外で大きなエッジを持つことになるため、非線形LPF２で表示領域外からのゴーストを除去することができる。よって、本実施の形態による画像処理装置においては、全表示画像領域において高画質な処理結果を得ることが可能になる。
【００４０】
図６は、本実施の形態による画像処理回路を備える液晶表示装置の構成例を示すブロック図である。本例では液晶表示装置として、チューナを内蔵した液晶テレビを例にして説明する。液晶テレビはTV信号処理回路６を備え、このTV信号処理回路６は、アンテナ６１、チューナ６２、ビデオ信号処理回路６３、スケーラ６４を備え、スケーラ６４からのデータ信号および同期信号が前述した本実施の形態による画像処理回路に入力される。液晶パネルモジュール７は、タイミングコントローラ７１と、ソースドライバ７２と、ゲートドライバ７３と、TFT液晶パネル７４と、を備え、画像処理回路からのデータ信号、同期信号を受けてタイミングコントローラ７１がデータ信号をソースドライバ７２に走査信号をゲートドライバに送ることによりTFT液晶パネル７４の画面上に表示を行う。
【００４１】
この構成例では、レジスタ設定回路８を介して非線形LPF２にコンパレート閾値を与えるとともに、コアリング処理回路４に減衰設定を与えている。レジスタ設定回路８は、リモコン等のスイッチやメニュー表示を組み合わせることにより実現されるユーザインターフェイス（Ｉ／Ｆ）８１と、これを制御するマイコン８２と、ユーザインターフェイス８１からマイコン８２を介して取り込まれた設定情報を格納しておくためのレジスタ８３により構成することができる。レジスタ８３の設定状態は、例えばOSD（On Screen Display：表示画面上への情報表示）機能によりテレビ画面上７４に表示される。
【００４２】
本実施の形態による画像処理回路の機能として、OSDで表示する画質調整メニュー上に、ノイズリダクション（雑音除去）、S/N（Signal / Noise）比向上、スムーサ等の名称で表示しておき、入/切、弱（シャープ）〜強（ソフト）等で機能のON/OFFや平滑化の程度を選べるようにしておくと便利である。マイコン８２は、上記メニュー設定において、「切」が選択されたときには画像処理回路をパスするようにし、「入」が選択された場合にはコアリングの結果が出力されるようにレジスタ８３にデータ信号切り換えの設定値を書き込む。同様に、メニュー設定の弱（シャープ）〜強（ソフト）にしたがって、コンパレート閾値と減衰設定とをレジスタ83に書き込む。
【００４３】
画像処理回路は、レジスタ８３に格納された値にしたがって動作する。具体的には「強」設定の場合には、コアリング処理回路４において遮断周波数を高く設定したり減衰量が大きくなるようにLUTを選択したりし、それに合わせて非線形LPF２ではコンパレート閾値を高くする。逆に「弱」設定の場合には、コアリング処理回路４において遮断周波数を低く設定したり減衰量が小さくなるようにLUTを選択したりし、それに合わせて非線形LPF２ではコンパレート閾値を低くする。これらの機能により、液晶テレビにおいて、使用者が映像ソースに合った適切な画質設定を行うことができる。
【００４４】
以上、本実施の形態による信号処理回路によれば、ノイズや擬似輪郭を除去しつつ、エッジの先鋭度を失わずにエッジに関連するゴーストの発生を抑制することができ、高品位な表示が可能となる。また本実施の形態による画像処理装置では、必要に応じて回路特性を変更し、上記の機能の有効/無効を選択することができるように構成されているため、入力信号ソースの特性や使用者の好みに応じて適切な画像を表示できるという利点がある。
【産業上の利用可能性】
【００４５】
本発明は、画像処理装置及びこれを用いた表示装置、例えば液晶テレビなどに適用可能である。
【図面の簡単な説明】
【００４６】
【図１】本発明の一実施の形態による画像処理回路の構成例を示すブロック図である。
【図２】図２（Ａ）から（Ｅ）までは、従来の方式で入力画像信号を処理した場合にゴーストが発生する様子を示す図である。
【図３】図３（Ａ）〜（Ｄ）までは、本発明の一実施の形態によるコアリング処理回路の構成例を示す図である。
【図４】本発明の一実施の形態による非線形LPFの表示領域端部での作用を示す図であり、図４（Ａ）は表示領域内外の差がコンパレータ閾値よりも小さい場合の図であり、図４（Ｂ）は表示領域内外の差がコンパレータ閾値よりも大きい場合の図である。
【図５】本発明の一実施の形態による表示領域外信号生成回路の構成例を示す図である。
【図６】本実施の形態による画像処理回路を備える液晶表示装置の構成例を示すブロック図である。
【符号の説明】
【００４７】
１…表示領域外信号生成回路、２…非線形LPF、３…減算器、４…コアリング処理回路、５…加算器、６…TV信号処理回路、７…液晶パネルモジュール、８…レジスタ設定回路、１１…表示領域端-閾値比較器、１２…セレクタ、２１…遅延器、２２…タップ出力セレクタ、２３…係数乗算器、２４…加算器、４１…絶対値回路、４２…比較器、４３…セレクタ、４４…LUT、６１…アンテナ、６２…チューナ、６３…ビデオ信号処理回路、６４…スケーラ、７１…タイミングコントローラ、７２…ソースドライバ、７３…ゲートドライバ、７４…TFT液晶パネル、８１…ユーザインターフェイス、８２…マイコン、８３…レジスタ、２２１…減算器、２２２…絶対値回路、２２３…比較器、２２４…セレクタ、４４１…絶対値回路、４４２…比較器、４４３…LUT、４４４…セレクタ、４４５…絶対値回路、４４６…比較器、４４７…LUT、４４８…減算器、４４９…セレクタ。
【図１】
2005354521.tif 000008
【図２】
2005354521.tif 000009
【図３】
2005354521.tif 000010
【図４】
2005354521.tif 000011
【図５】
2005354521.tif 000012
【図６】
2005354521.tif 000013